(57)【要約】      （修正有）【課題】下肢身体障害者が介護者によってトイレに移送され、その後トイレで用を足す場合において、トイレの便座に向かって対面上に位置している身体を便座に座れるよう介添え人によって１８０度回動変換させるとき、障害者を容易に回動変換させるためのトイレ用方向変換補助装置を提供する。【解決手段】トイレ用方向変換補助装置は、回転ロック装置６を有し回転装置上部板１１を有する回転テーブル３に支柱により支承された手すりを固設した踏み板を接合して固設し、その回転部内部は結合軸８を中心に結合構成した回転装置架台７に、リテーナー９ローラー１０によって回転装置上部板１１を回転可能ならしめるよう構成し、回転テーブル３の側面には回転ロック装置６を設ける。【選択図】図２
0003181735.tif 000002
【実用新案登録請求の範囲】
【請求項１】
回転可能に構成した回転テーブル上に複数本の支柱にて支承された手すりを設けた踏み板を固設し、該回転テーブルには回転抵抗調整装置、回転固定装置を設けたことにより構成されることを特徴とするトイレ用方向変換補助装置。
【請求項２】
請求項１により構成される複数本の支柱の高さを任意に調整することが出来る支柱高調整機構、支柱着脱自在機構を有するトイレ用方向変換補助装置。
【考案の詳細な説明】
【考案の詳細な説明】
【産業上の利用分野】
【０００１】本考案は下肢障害による歩行困難者が車椅子による生活を余儀なくされている状況において、該障害者がトイレの使用を望んだ時出来うる限り介護者の負担を軽減するために考案した、下肢障害者のトイレ使用時におけるトイレ用身体方向変換具に関するものである。
【従来の方法】
【０００２】従来下半身の機能に何らかの要因によって下肢に障害を有した下肢障害者がトイレを使用して用を達したいときは、介護者に車椅子を用いてトイレの便器近くまで搬送してもらい、そこで障害者は介護者の手を借りつつ壁面等の支え棒又は支え用取って等につかまり車椅子から降車し静止する。
【０００３】そこで介護者は一旦車椅子をその場から便器と反対側に移設する。そののち介護者は障害者の体をトイレの洋式便座に腰かけることが出来る方向に体を支えつつ１８０度回転変換する。その後障害者は自分独自か又は介護者の手を借りつつ下半身の衣服を下部に下ろし便座に腰かけて用をたす。用が済めば障害者は介護人の補助を受けつつ又は独自で衣服を整え立ち上がり、壁面の支え棒又は取ってを持ちつつ介護人の手を借り身体を１８０度旋回して向きを変える。
【０００４】そこで介護者は再び車椅子を障害者に近ずけ障害者を車椅子に腰かけさせる。しかしこれら一連の作業は、障害者の障害の程度が重い場合や障害者の体重が重い場合等介護者にとっては大変な重労働であり、場合によっては一人では介添え出来ない場合もあり二人がかりという場合もあった。この介護作業は介護人にとって介護作業の中でも最も大変な重労働の一つであった。又この作業は一日又は二日に一度という頻度の入浴と異なり一日何回もの回数を行わなければならなかった。
【０００５】しかし下半身の障害以外は通常の健常者と何ら変わらない人の場合は簡易トイレで済ますとか、オムツを当てるとかの行為は障害者にとって受け入れがたいものであった。またプライバシーにも係わる問題でもあった。
【考案が解決しようとする課題】
【０００６】上記に記するごとく従来の下肢身体障害者を介護者が車椅子によってトイレに搬送し、トイレで用を済まさせるに作業において、車椅子より降車させ便座に座らせる場合介護者は大変な重労働を強いられてきた。本考案においてはその介護者の重労働を著しく軽減しようとするものである。
【０００７】介護者が一番苦労し労力を使うのは下肢身体障害者を車椅子より降車させ、便座に向き合っていた下肢身体障害者をその後便座に腰かけることが出来るよう便座に向かって背を向ける状態にするため、下肢身体障害者の身体を１８０度回転させて体の向きを変える作業を行う時である。しかし前記したごとく重篤な下肢身体障害者や体重の重い人等を対象とするこれらの作業における介護者の苦労と労力は大変大きいものであった。
【０００８】本考案は上記の点に鑑みてなされたものであり介護者が容易に下肢身体障害者のトイレ使用時の介護を行いうることが出来る介護補助器具を提供し、介護者の作業の軽減と下肢身体障害者の介護時の精神的、肉体的な苦痛を軽減ならしめ、介護福祉大国ならんとする国にとって少しでもその問題の軽減が図れることを目的とするものである。
【０００９】介護者の一番の苦労と労力は前記したごとく、下肢身体障害者をトイレの便座近傍に車椅子によって搬送し降車させた時、便座に向かって対面状態にある下肢身体障害者を、１８０度回転させて便座に対して背を向けて腰を下ろすと便座に御尻が乗る状態に体勢を整えることにある。この時下肢身体障害者を１８０度方向変換させるのに、介添えや支えによって動く下肢身体障害者の動き等をバランスよく行う必要がある。
【００１０】この介護者の介添えを極端に軽減するためには車椅子より降車させた下肢身体障害者がその場において容易にその身体の向きを１８０度回転し向きを変換させることが出来れば可能となる。
【００１１】本考案においてはその目的を達成するために下肢身体障害者のトイレ内におけるその身体を、１８０度変換する作業を容易に執り行いうるためのトイレ用補助具を提供する。
【課題を解決するための手段】
【００１２】而して本考案において用いられる器具の特徴は、回転抵抗を任意に変換できる回転テーブル上面に下肢身体障害者が乗り、且つ障害者が身体を支えるための手で把持出来うる手すりを固設した踏み板を設けたことを特徴とする。該テーブルは所望する位置に停止させた時回転を停止させる回転ロック機構を有している。
【００１３】また下半身身体障害者の身長に応じて手で把持出来うる手すりの高さも調節出来うる構成としている。
【実施例】
【００１４】本考案において用いられる装置の一実施例を図面と共に説明する。【００１５】図において説明する。図１は本考案の側面図、図２は本考案の一部断面上面図である。図３は本考案の組み付け状況を示す説明図である。図４は本考案の使用状態を示す説明図である。本考案は回転ロック装置６を有し回転装置上部板１１を有する回転テーブル３に支柱４により支承された手すり５を固設した踏み板２を接合して固設し、その回転部内部は結合軸８を中心に結合構成した回転装置架台７に、リテーナー９ローラー１０によって回転装置上部板１１を回転可能ならしめるよう構成し、回転テーブル３の側面には回転ロック装置６を設ける。【００１６】本考案は以上の機構により構成されたものであり、その考案の目的は踏み板２上に乗った下肢身体障害者が、手すり５を把持しつつ起立した状態で静止したまま、下肢身体障害者の身体を介護者が手すり５等を持ち手動によりテーブルを１８０度回転させ、回転後回転テーブルが介護者の操作により安全に固定され、その後必要に応じて再度回転固定装置が解除されて回転テーブルが介護者の手動によって所望する角度回転するように成したものである。【００１７】また支柱４に伸縮調整機構を設けて障害者の身長に合わせて手すりの高さを調整できるように構成することによって、より使用における利便性がます。以上が本考案の構成であり以下に本考案の操作、使用方法を説明する。【００１８】介護者はまず本考案のトイレ用補助具１を回転ロック装置６を作動して回転テーブル３の回転をロックしてトイレの便座２１の前面に設置する。次に車椅子２０を使用して下肢身体障害者２２を本器具１の前面に移設する。次いで介護者の補助により下肢身体障害者２２を車椅子２０より降車させて介助しつつ、障害者を本考案の補助具の踏み板２の上面に手すり５を利用しつつ起立させて図４の２３のごとくの状態にする。その後介護者は回転ロック装置６を操作してロックを外し、手すり５を持ちつつ踏み板２を下肢身体障害者を乗せつつ共に１８０度回動する。【００１９】而してその時点で障害者は便座を背にして起立した状態となる。その後下部の衣服を下げて介添え者の補助のもと障害者は便座に腰かけて用をたす。介添え者は障害者の要求によって下半身の衣服を下げる時その場所より身体を外すよう要求された場合は、障害者が便座に腰かけた時の立ち位置を十分確認する。【００２０】その後障害者が用を済ませた後、介添え者は再び障害者を踏み板２に立たせ回転ロック機構６を解除してゆっくり障害者と共に踏み板２を１８０度回転させて、介添え者と向き合うように回動させ回転ロック装置６を作動させて回転をロックする。しかる後車椅子２０を再びそば近くまで持ち込み障害者を車椅子２０に座らせる。その後車椅子をトイレ内より引き出しその後本考案のトイレ用身体方向変換具を搬出する。【００２１】以上が本考案のトイレ用方向変換具１の実施例の構成とその操作作用の説明である。
【考案の効果】
【００２２】本考案によれば本考案の簡単な構成によるトイレ用方向変換具を用いて下肢身体障害者を一人の介護者のみで多大な労力と多くの神経を使うことなく、簡単に障害者のトイレ使用を可能ならしめることが出来、且つ障害者はトイレの使用時簡単にトイレの便座に座ることが出来るため、介護者に多くの負担をかけるという精神的な苦痛より解放され、気軽にトイレの使用要求を介護者にすることが出来るため介護者にとっても下肢身体障害者にとっても非常に有益なものとなる。
【図面の簡単な説明】
【００２３】
【図１】本考案のトイレ用補助具の側面図
【図２】回転テーブルの一部断面上面図
【図３】本考案の組み立て分解図
【図４】本考案の使用状態の説明図
【符号の説明】１      トイレ用身体方向変換具
２      踏み板
３      回転テーブル
４      支柱
５      手すり
６      回転ロック装置
７      回転装置架台
８      結合軸
９      リテーナー
１０    ローラー
１１    回転装置上部板
１２    締結ボルト
２１    洋式便器
２２    坐した下肢身体体障害者
２３    起立した下肢身体障害者
【図１】
0003181735.tif 000003
【図２】
0003181735.tif 000004
【図３】
0003181735.tif 000005
【図４】
0003181735.tif 000006